(57)【特許請求の範囲】
【請求項１】
内視鏡と、前記内視鏡に照明光を供給する光源としてのランプを内蔵した内規鏡プロセッサと、前記内視鏡で撮像したビデオ映像を表示するモニタとを備える内視鏡装置において、前記内視鏡プロセッサは、前記ランプの点灯を制御する手段と、前記ランプの点灯時間を計時かつ積算してその積算時間を保持するランプ点灯時間積算手段と、前記内視鏡プロセッサの使用時間を計時しかつ積算してその積算時間を保持する機器使用時間積算手段と、前記ランプ点灯時間積算手段で積算した積算時間に基づいて前記ランプの点灯積算時間、及びランプの使用状態、並びに前記機器使用時間積算手段で積算した積算時間を前記モニタに表示する表示制御手段とを備え、前記機器使用時間積算手段はリセットが行われないことを特徴とする内視鏡装置。
【請求項２】
前記ランプ点灯時間積算手段及び機器使用時間積算手段は、前記ランプが点灯したとき又は内視鏡プロセッサの使用時にクロック発生回路で発生したクロックを計数し、かつ計数したクロックを積算し、かつ積算したクロックを保持する回路を備えるタイマ回路で構成される請求項１に記載の内視鏡装置。
【請求項３】
前記ランプ点灯時間積算手段及び／又は機器使用時間積算手段は電池を電源として駆動する請求項１または２に記載の内視鏡装置。
【請求項４】
前記ランプ点灯時間積算手段及び／又は機器使用時間積算手段は、積算時間を記録する不揮発性メモリを備えており、かつその電源として前記内視鏡プロセッサの回路電源に接続されたコンデンサを備える請求項１ないし３のいずれかに記載の内視鏡装置。
【請求項５】
前記表示制御手段は、前記ランプ点灯時間積算手段で積算した時間を、予め設定された複数の異なる設定時間と比較し、その比較結果に基づいて予めランプの使用状態に対応して設定されているそれぞれ異なる表示色でのランプマークの表示を行う請求項１ないし４のいずれかに記載の内視鏡装置。
【請求項６】
前記異なる表示色のランプマークで表示するランプの使用状態は、ランプの交換の必要がない状態、交換の準備をする状態、交換が必要な状態、至急交換する状態である請求項５に記載の内視鏡装置。
【請求項７】
前記表示制御手段は、前記ランプマークの表示と同時に所要のメッセージを表示可能とする請求項５又は６に記載の内視鏡装置。
【請求項８】
前記ランプの点灯を制御する手段は、ランプ点灯積算時間が前記交換が必要な状態に達したときには、次回のランプの点灯を禁止する請求項５ないし７のいずれかに記載の内視鏡装置。
【発明の詳細な説明】
【０００１】
【発明の属する技術分野】
本発明は内視鏡装置に関し、特に内視鏡に対して照明光を送出する光源を内蔵した内視鏡プロセッサを備える内視鏡装置に関する。
【０００２】
【従来の技術】
内視鏡装置は、図９に概略構成を示すように、人体等を観察するための内視鏡２００と、この内視鏡２００を光学的及び電気的に接続し、接続した内視鏡２００に対して照明光を送出する一方で内視鏡２００で得られる光信号を入力して処理する内視鏡プロセッサ１００と、前記内視鏡プロセッサ１００で処理して得られる画像信号を表示するためのモニタ３００とを含んで構成される。前記内視鏡プロセッサ１００は、前記内視鏡２００に対して照明光を送出するための光源を備えているが、この種の光源として用いるランプは、内視鏡２００を接続して実際に人体に対して使用している最中にランプの寿命がきて照明光が消えることは避けなければならない。そのため、ランプの点灯時間を積算し、積算時間がランプ寿命時間に近い所定の時間に達したときには、ランプの寿命がくる前でもランプを交換することが必要となる。また、内視鏡プロセッサ１００の他の部品についても同様であり、各部品のそれぞれの寿命に対応して所定の周期で内視鏡プロセッサ１００を定期的にメインテナンスする必要がある。
【０００３】
そのため、内視鏡装置にはランプの点灯時間を計測するランプ点灯時間計測表示装置が設けられ、点灯を開始してから現在までのランプの点灯時間を計測し、かつ計測した点灯時間を表示するための装置が付設されている。すなわち、この種のランプ点灯時間計測表示装置では、実際にランプを点灯したときの時間をタイマで計時し、この計時データを順次積算するとともに、積算した計時データをメモリ等に記憶し、かつ積算した計時データを表示器に表示する構成とされている。また、機器使用時間計測表示装置では、実際に内視鏡プロセッサの電源をオンして使用したときの時間をタイマで計時し、この計時データを順次積算するとともに、積算した計時データをメモリ等に記憶し、かつ積算した計時データを表示器に表示する構成とされている。これにより、例えば、ランプ点灯時間計測表示装置では、実際にランプを点灯した時間が積算され、かつ記憶されるため、表示器を見ることにより当該ランプの点灯積算時間を確認することができ、所定の時間に達したときにランプを適切に交換することが可能となる。
【０００４】
しかしながら、内視鏡装置のような医療機器は、非使用時には電源プラグを商用電源等の電源コンセントから抜いておくことが通常なので、非使用時には商用電源を電源に利用することはできない。このため、前記したランプの点灯積算時間の記憶に通常のメモリを用いたときには、非使用時に電源がオフされると、メモリの記憶内容も消去されてしまうことになる。そこで、従来では、電源が供給されなくともランプの点灯積算時間を保持することが可能な水銀方式積算メータが用いられている。すなわち、内視鏡プロセッサ１００には、図１０に示すような水銀方式積算メータ１３０が装着されており、ランプの点灯時や機器使用時にオンされるスイッチ１２６により内視鏡プロセッサ１００から出力される電流によってランプの点灯時間と機器使用時間を計測して積算するように構成されている。
【０００５】
図１０（ａ），（ｂ）に水銀方式積算メータの概略正面構成と回路構成をそれぞれ示すように、内視鏡プロセッサ１００に対して着脱可能な構成とされており、装着されたときにコネクタ端子１３１によって内視鏡プロセッサ１００に電気接続される。積算時間を表示する表示部１３４は、両端部に電極を有する内部が密封された真直な表示筒１３５内に金属水銀１３６がほぼ満たすように入れられるとともに、その長さ方向の一部に電解液１３７が入れられており、高抵抗Ｒ１，Ｒ２によって微小電流化されて内視鏡プロセッサ１００から供給される電流を前記電極間に通流すると、金属水銀１３６が電気分解されて一方の電極に向けて移動されるため、相対的に電解液１３７が前記表示筒１３５内で移動される。したがって、通流される電流の積算量に応じて表示筒１３５内での電解液１３７の位置が変化され、表示筒１３５に付設された目盛１３８を利用して電解液の位置を確認することで、積算電流を計測することが可能となる。したがって、ランプの点灯時には常に一定の電流を流すことにより、前記積算電流からランプの点灯積算時間を表示することが可能となる。
【０００６】
【発明が解決しようとする課題】
しかしながら、近年における環境問題から、水銀を用いるこの種の積算メータの使用は好ましくなく、水銀等の重金属を使用しない装置が要求されている。また、この種の積算メータは比較的に高価であるため、内視鏡装置のランニングコストが高いものとなる。特に、前記したようにランプ点灯時間と機器使用時間のそれぞれの積算時間を表示するための２つの水銀方式積算メータを配設した場合には、前記した環境問題がより切実なものとなり、かつランニングコストもより高いものになる。一方、水銀方式積算メータは、前記したように表示筒内での電解液の移動位置から積算時間を認識する構成であるため、目盛りに対して電解液の幅寸法が大きく、高精度に時間を計測表示することは困難である。このため、ランプの使用状態を適切に表示することができないことがある。すなわち、この種の装置に用いられるランプでは、図１１に示すように、ランプの発光光量はランプの使用時間の経過と共に徐々に低下されるため、ある一定時間の使用時間経過後は、十分な発光光量が得られなくなるとともに、ランプがいつ切れるかわからない状態となり、このような場合には予備のランプを用意したり、切れる前にランプを交換することが好ましい。しかしながら、従来の水銀方式積算メータでは、単に積算時間を表示するのみであるため、使用者に対し前記したようなランプの交換時期を示唆するためのランプの使用状態を報知させることは困難である。
【０００７】
本発明の目的は、ランプや機器の使用状態を表示して、ランプ交換や機器のメインテナンスに適切に対応することが可能な内視鏡装置を提供することにある。また、本発明の他の目的は、水銀を用いることなく、しかも内視鏡装置の電源がオフされた場合でも積算時間を保持して前記表示を可能とした内視鏡装置を提供することにある。
【０００８】
【課題を解決するための手段】
本発明の内視鏡装置は、内視鏡と、前記内視鏡に照明光を供給する光源としてのランプを内蔵した内規鏡プロセッサと、前記内視鏡で撮像したビデオ映像を表示するモニタとを備え、内視鏡プロセッサは、前記ランプの点灯を制御する手段と、前記ランプの点灯時間を計時かつ積算してその積算時間を保持するランプ点灯時間積算手段と、前記内視鏡プロセッサの使用時間を計時しかつ積算してその積算時間を保持する機器使用時間積算手段と、前記ランプ点灯時間積算手段で積算した積算時間に基づいて前記ランプの点灯積算時間、及びランプの使用状態、並びに前記機器使用時間積算手段で積算した積算時間を前記モニタに表示する表示制御手段とを備え、前記機器使用時間積算手段はリセットが行われないことを特徴とする。また、前記ランプ点灯時間積算手段及び／又は機器使用時間積算手段は電池を電源として駆動し、あるいは、積算時間を記録する不揮発性メモリを備えており、かつその電源として前記内視鏡プロセッサの回路電源に接続されたコンデンサを備える構成とする。
【０００９】
ここで、前記表示制御手段は、前記ランプ点灯時間積算手段で積算した時間を、予め設定された複数の異なる設定時間と比較し、その比較結果に基づいて予めランプの使用状態に対応して設定されているそれぞれ異なる表示色でのランプマークの表示を行う構成とすることが好ましい。この場合、前記異なる表示色のランプマークで表示するランプの使用状態は、例えば、ランプの交換の必要がない状態、交換の準備をする状態、交換が必要な状態、至急交換する状態とする。また、前記表示制御手段は、前記ランプマークの表示と同時に所要のメッセージを表示可能とすることも好ましい。さらに、前記ランプの点灯を制御する手段は、ランプ点灯積算時間が前記交換が必要な状態に達したときには、次回のランプの点灯を禁止するように構成してもよい。
【００１０】
本発明においては、ランプの点灯時間や機器の使用時間をモニタに表示することができ、例えば、ランプ点灯積算時間に応じて異なる色でのランプマークを表示することにより、内視鏡装置の使用者は、ランプの状態をランプマークの表示色で認識でき、ランプの発光光量が著しく低下する前、あるいはランプが切れる前にランプを交換することができ、内視鏡装置を使用しての検査中にランプが切れてしまうことを未然に防止することが可能になる。また、機器使用時間をモニタに表示することで、内視鏡プロセッサを構成する各種部品のメインテナンスを行う際の参考に利用できる。特に、機器使用時間についてはリセットが行われないので使用されている時間を全て積算することになり、各種部品のメインテナンスを行う際の参考に利用できる。
【００１１】
【発明の実施の形態】
次に、本発明の実施の形態について図面を参照して説明する。図１は、本発明の内視鏡装置に用いられる内視鏡プロセッサとモニタの正面図である。内視鏡プロセッサ１００のプロセッサ本体１０１のケース前面には電源スイッチ１０２、内視鏡接続部１０３、操作パネル１０４が設けられる。前記内視鏡接続部１０３は、図９に示した内視鏡２００の光学系と電気系にそれぞれ接続されるＬＣＢコネクタ１０５と電気信号コネクタ１０６がそれぞれ設けられる。また、前記操作パネル１０４には内視鏡装置の各部を制御するためのスイッチ１０７が設けられ、特に後述するランプを点灯するためのランプスイッチ１０８が設けられる。さらに、前記プロセッサ本体１０１のケース背面には、図示は省略するが、商用電源入力コネクタ、図９に示したモニタ３００にケーブル接続されるビデオ信号出力コネクタ、さらに図外のキーボードに接続されるキーボードコネクタ、図外のコンピュータ等に接続するためのインターフェースコネクタが設けられる。
【００１２】
図２は前記内視鏡プロセッサ１００の内部構成の概略構成を示すブロック図である。前記プロセッサ本体１０１内には、前記ＬＣＢコネクタ１０５を通して前記内視鏡に対して照明光を供給するための光源用のランプ１２１、反射ミラー１２２、レンズ１２３が内蔵されており、前記ランプ１２１は、前記ランプスイッチ１０８のオン状態を検出するシステムコントローラ１２４によって駆動されるランプ電源１２５によって点灯される。また、前記システムコントローラ１２４は、前記ランプ１２１が点灯された時にランプ使用時間積算信号と、ランプを交換したときにリセット信号をそれぞれ積算メータ部１４０に出力するように構成される。さらに、前記システムコントローラ１２４はＯＳＤ回路１２６を制御し、前記モニタ３００に表示する内視鏡２００からのビデオ映像に時間表示、及びランプ報知を行うための信号を重畳する制御を行う。
【００１３】
前記積算メータ部１４０は、積算メータ部の電源としての電池１４１と、前記システムコントローラ１２４からのランプ使用時間積算信号に基づいてランプの点灯時間を計測し、かつ積算するランプ点灯時間積算タイマ回路１４２と、前記内視鏡プロセッサ１００の電源がオンされたときに入力される電源電圧信号に基づいて機器の使用時間を計測し、かつ積算する機器使用時間積算タイマ回路１４３と、前記各タイマ回路１４２，１４３で積算した時間をデータとして前記システムコントローラ１２４に送出するカウントデータ送信回路１４４とを備えている。ここで、前記各タイマ回路１４２，１４３の構成としては、例えば、図示は省略するがクロック発生回路を内蔵し、前記ランプ点灯時間積算信号や電源電圧信号が入力されたときに前記クロック発生回路で発生されたクロックを計数し、かつその計数値を積算することにより計測時間を積算し、かつ内蔵のメモリに積算時間を記憶して保持する回路が用いられる。なお、ランプ点灯時間積算タイマ回路では、前記リセット信号が入力されたときには、それまで積算した時間をリセットする。
【００１４】
一方、前記モニタ３００は、図１に示したように、前記内視鏡２００からＬＣＢコネクタ１０５を通して入力されるビデオ映像を表示するが、そのモニタ画面の一部には、前記ＯＳＤ回路１２６において重畳された前記各タイマ回路１４２，１４３で積算したランプ点灯積算時間３０１と、機器使用積算時間３０２をそれぞれデジタル表示するように構成されている。さらに、前記モニタ画面の他の一部には、ランプ状態を異なる色で表示するためのランプマーク３０３と、必要に応じてメッセージを表示するように構成されている。
【００１５】
この内視鏡装置によれば、内視鏡プロセッサ１００の電源スイッチ１０２をオンすると、電源電圧信号が機器使用時間積算タイマ回路１４３に入力され、この機器使用時間積算タイマ回路１４３が計時動作を行い、機器の使用時間を積算する。また、ランプスイッチ１０８をオンしてランプ１２１を点灯すると、システムコントローラ１２４からランプ点灯時間積算信号がランプ点灯時間積算タイマ回路１４２に入力され、このランプ点灯時間積算タイマ回路１４２が計時動作を行い、ランプ１２１の点灯時間を積算する。なお、前記各タイマ回路１４２，１４３は電池１４１を電源としているため、内視鏡プロセッサ１００の電源入力コネクタにつながる電源プラグを商用電源コンセントから抜いた状態でも積算された時間を保持することができる。そして、各タイマ回路１４２，１４３で積算された機器使用時間とランプ点灯時間は、それぞれカウントデータ送信回路１４４で読み取られ、その読み取った各積算時間がシステムコントローラ１２４に入力される。システムコントローラ１２４はこれに基づいてＯＳＤ回路１２６を制御し、モニタ３００の表示画面に機器使用時間３０２とランプ点灯時間３０１を表示する。また、これと同時にシステムコントローラ１２４は、ランプ点灯積算時間に基づいてランプマーク３０３の表示を制御する。
【００１６】
前記システムコントローラ１２４によるランプマーク３０３の表示動作を、図３のフローチャートと図４のタイミングチャートに示す。システムコントローラ１２４は、カウントデータ送信回路１４４からのランプ点灯積算時間を読み取り（Ｓ１０１）、その点灯積算時間が１８０時間以下であるかを判定し（Ｓ１０２）、１８０時間以下の場合にはランプマーク３０３を緑色で表示する（Ｓ１０３）。この緑色は、ランプ１２１の発光光量と寿命が十分であり、ランプ１２１を安全に使用できるというランプの使用状態を示している。また、ランプ点灯積算時間が１８０時間よりも長いときには、ランプ点灯積算時間を２００時間以下であるか判定し（Ｓ１０４）、２００時間以下の場合にはランプマーク３０３を黄色で表示する（Ｓ１０５）。この黄色は、ランプの発光光量が若干低下され、ランプ１２１の交換時期が近づいている状態を示している。さらに、ランプ点灯積算時間が２００時間よりも長いときには、ランプ点灯時間が２２０時間以下であるか判定し（Ｓ１０６）、２２０時間以下の場合にはランプマーク３０３を赤色に表示する（Ｓ１０７）。この状態はランプ１２１を交換する時期であることを示している。さらに、ランプ点灯時間が２２０時間を越えて、２４０時間以下であるか判定し（Ｓ１０８）、これを満たす場合にはランプマーク３０３を赤色で点滅表示する（Ｓ１０９）。この状態は、ランプ１２１を至急交換する必要があることを示している。
【００１７】
さらに、２４０時間を越えている場合には、現在ランプ１２１が点灯して内視鏡装置を使用した検査中であるか否かを判定し（Ｓ１１０）、検査中の場合には、ランプの点灯状態を保持するとともに、ランプマーク３０３を赤色の反転表示とする（Ｓ１１１）。一方、検査中ではないときには、ランプ点灯積算時間が規格時間を越えているメッセージを表示し、次回にランプ１２１を点灯しない動作を実行する（Ｓ１１２）。この動作のタイミングチャートを図５に示す。同図には、ランプ点灯スイッチ、ランプ点灯積算時間の読み込みタイミング、ランプを点灯するための制御信号、ランプ点灯積算時間信号、モニタ画面に表示するメッセージの関係を示しており、ランプ点灯時間が２４０時間以下の場合には、ランプ点灯スイッチをオンしたときに、ランプは点灯させるが、モニタ画面には「ランプの使用時間を越えています、交換して下さい。」の表示を出す。そして、２５０時間を越えた段階では、ランプ点灯スイッチをオンしても、ランプの点灯は行わず、同時にモニタ画面に「このランプは使用時間を過ぎました。点灯しませんから交換して下さい。」の表示を出す。
【００１８】
以上のように、本実施形態の内視鏡装置では、ランプの点灯時間が積算されるのに伴ってモニタ３００の表示画面には、ランプ点灯積算時間と共に表示色が変化されるランプマーク３０３が表示される。このため、内視鏡装置の使用者は、ランプ１２１の使用状態をランプマーク３０３の表示色で認識でき、ランプ１２１の発光光量が著しく低下する前、あるいはランプ１２１が切れる前にランプを交換することができ、内視鏡装置を使用しての検査中にランプ１２１が切れてしまうことを未然に防止することが可能になる。勿論、ディジタル表示されたランプ点灯積算時間３０１に基づいて、内視鏡装置の操作に熟練している者は、そのランプ点灯積算時間３０１を確認することで、より正確にランプ１２１の使用状態を認識することは可能である。なお、ランプ１２１を交換すると、例えば内視鏡プロセッサ１００のプロセッサ本体１０１に設けた図外のランプ扉の開閉動作等をシステムコントローラ１２４が検知し、これに基づいてリセット信号をランプ点灯時間積算タイマ回路１４２に入力し、当該ランプ点灯時間積算タイマ回路１４２での積算時間をリセットし、積算を初期状態に戻す。したがって、交換した新たなランプについて、最初から点灯時間の積算が開始されることになる。一方、機器使用時間積算タイマ回路１４３は、リセットが行われないため、内視鏡プロセッサ１００の電源がオンされている時間、すなわち内視鏡プロセッサ１００が使用されている時間を全て積算することになり、内視鏡装置を構成する各種部品のメインテナンスを行う際の参考に利用できる。
【００１９】
ここで、ランプの使用状態を表示する際には、前記ランプマーク３０３による表示に代えて、図６（ａ）に示すような、アナログバー３０４を使用することも可能である。すなわち、ランプ１２１の点灯時間の積算を開始した状態ではアナログバー３０４の長さを最も長い「ＦＵＬＬ」状態で表示し、ランプ点灯積算時間の増加に伴ない、前記実施形態のランプマークの表示色が変化されると同様な積算タイミングでアナログバー３０４の表示長さを段階的に短くして行く。したがって、使用者はアナログバー３０４の表示長さによって、以降におけるランプ１２１の使用可能な時間を認識することが可能となる。そして、バーの長さが０になったときには、図６（ｂ）のように、「Please Change Lamp：ランプを交換して下さい。」のメッセージ３０５を表示することで、ランプの交換時期を報知する。
【００２０】
また、他の表示例としては、ランプの点灯時間の積算時間と、ランプを点灯した日数を検出し、それまでの積算時間を点灯日数で除すことで、一日の平均点灯時間を算出する。そして、ランプの使用可能な全時間から積算時間を減算し、得られた残りの使用可能時間を前記平均点灯時間で除することで、図６（ｃ）に示すように、残りの使用可能な日数「１０ｄａｙｓ」３０６を表示する。これにより、ランプの予備を保管していない場合に、残りの使用可能な日数と、ランプを注文してから入手するまでの日数を勘案して、適当な時期にランプの注文を行えば、ランプの寿命がくる時期には新たなランプを常に手元に確保しておくことが可能となる。なお、この表示例の場合には、内視鏡プロセッサ１００内に時計機能（カレンダ機能）を備え、かつ、ランプ１２１を点灯した日時を記録する機能と共に、この記録した日時をシステムコントローラ１２４において把握するような回路構成とすることが必要である。
【００２１】
ここで、前記実施形態では、タイマ部１４０は電池１４１を電源とし、前記各タイマ回路１４２，１４３で積算した積算時間を各タイマ回路に内蔵のメモリ（記憶回路）に記憶する構成としているが、その電源としての電池を二次電池で構成することも可能である。二次電池の場合には、前記電池１４１を二次電池に置き換え、内視鏡プロセッサ１００の電源をオンしたときに、当該内視鏡プロセッサ１００の内部電源によって二次電池を充電すればよい。また、電池及び二次電池で構成する場合でも、これら電池には寿命があるため、電池容量がなくなったときには、各タイマ部の内蔵メモリに記憶した積算時間が消失されるおそれがある。そこで、積算時間の記憶用メモリとして、不揮発性メモリを用いることが考えられる。
【００２２】
図７はその一例を示すタイマ部１４０Ａの回路図であり、図２のタイマ部と等価な部分には同一符号を付してある。この回路では、図２のタイマ部１４０の構成に比較すると、各タイマ回路１４２Ｐ１４３には、それぞれＥＥＰＲＯＭ等で構成される不揮発性記憶回路１４５，１４６が接続されている。また、前記電源としての電池に代えて、内視鏡プロセッサ１００の回路電源に対してダイオードＤとコンデンサＣの直列回路が接続されている。さらに、前記回路電源の電圧を検出する電源電圧検出回路１４７が設けられ、この電源電圧検出回路１４７で検出した電源電圧に基づいて前記各タイマ回路１４２，１４３及び不揮発性記憶回路１４５，１４６を制御するように構成されている。
【００２３】
前記タイマ部１４０Ａにおける積算時間の記憶動作を図８のフローチャートを参照して説明する。なお、この動作は、ランプ点灯時間積算タイマ回路１４２と機器使用時間積算タイマ回路１４３はそれぞれ同じである。電源電圧検出回路１４７が電源電圧を検出して内視鏡プロセッサ１００の電源がオンされていることを検出すると（Ｓ２０１）、ＰＯＷＥＲフラグが「０」であるかを判定し（Ｓ２０２）、「０」でないときには、タイマ回路１４２，１４３で積算された積算時間をモニタ３００の画面にに表示し（Ｓ２０５）、ステップＳ２０１に戻る。また、ステップＳ２０２において「０」のときにはＰＯＷＥＲフラグを「１」にした上で（Ｓ２０３）、不揮発性記憶回路１４５，１４６に記憶されている積算時間をタイマ回路１４２，１４３にロードする（Ｓ２０４）。この動作により、後述するように、前回内視鏡プロセッサ１００の電源がオフされる以前に各タイマ回路１４２，１４３において積算されかつ不揮発性記憶回路１４５，１４６に記憶されていた積算時間が各タイマ回路１４２，１４３の内蔵メモリに記憶される。したがって、以降はタイマ回路１４２，１４３はこの積算時間にさらに時間を積算し、かつ積算時間をモニタ３００の表示画面に表示することになる。
【００２４】
一方、ステップＳ２０１で、電源電圧検出回路１４７が電源電圧の低下から内視鏡プロセッサ１００の電源がオフされたことを検出すると、ＰＯＷＥＲフラグを判定し（Ｓ２０６）、「１」でないときにはステップＳ２０１に戻る。また、「１」のときには、ＰＯＷＥＲフラグを「０」にした上で（Ｓ２０７）、タイマ回路１４２，１４３の内蔵メモリに記憶されているそれまでの積算時間を不揮発性記録回路１４５，１４６に記憶する（Ｓ２０８）。このとき、内視鏡プロセッサ１００の電源は既にオフされているが、それ以前の時点において回路電源により電力がダイオードＤを通してコンデンサＣに蓄積されているため、このコンデンサＣに蓄積された電力を利用して不揮発性記憶回路１４５，１４６への積算時間の記憶動作が確保される。なお、その後にコンデンサＣに蓄積された電力が放電されても、不揮発性記憶回路１４５，１４６に記憶された積算時間が保持されることは言うまでもない。
【００２５】
なお、前記コンデンサに代えて二次電池を用いてもよいことは言うまでもない。また、前記実施形態では、ランプの使用状態をモニタに表示する例を説明したが、同様の構成により機器使用積算時間に基づいて機器の各箇所のメインテナンスの必要性を表示するようにしてもよい。また、内視鏡プロセッサに切替ボタンを設け、ランプ点灯積算時間と機器使用積算時間とを切り替えて表示するように構成することも可能である。
【００２６】
【発明の効果】
以上説明したように本発明の内視鏡装置は、内視鏡プロセッサに、ランプの点灯を制御する手段と、前記ランプの点灯時間を計時かつ積算してその積算時間を保持するランプ点灯時間積算手段と、内視鏡プロセッサの使用時間を計時しかつ積算してその積算時間を保持する機器使用時間積算手段と、前記ランプ点灯時間積算手段積算した積算時間及びこれに基づくランプの使用状態と機器使用時間積算手段で積算した積算時間をモニタに表示する表示制御手段を備えているので、ランプの点灯時間をモニタに表示することができ、例えば、ランプ点灯積算時間に応じて異なる色のランプマークを表示することにより、内視鏡装置の使用者は、ランプの状態をランプマークの表示色で認識でき、ランプの発光光量が著しく低下する前、あるいはランプが切れる前にランプを交換することができ、内視鏡装置を使用しての検査中にランプが切れてしまうことを未然に防止することが可能になる。また、機器使用時間をモニタに表示し、特に機器使用時間はリセットが行われないので使用の全時間を積算することになり、内視鏡プロセッサを構成する各種部品のメインテナンスを行う際の参考に利用できる。
【００２７】
また、前記ランプ点灯時間積算手段及び機器使用時間積算手段は、前記ランプが点灯したとき又は機器の使用時にクロック発生回路で発生したクロックを計数し、かつ計数したクロックを積算し、かつ積算したクロックを保持する回路を備えるタイマ回路で構成されるので、水銀を使用する必要がなく、環境上有利になる。さらに、ランプ点灯時間積算手段、または機器使用時間積算手段は電池を電源とし、あるいは積算時間を記録する不揮発性メモリを備えており、かつその電源として内視鏡プロセッサの回路電源に接続されたコンデンサを備えることにより、積算時間を保持することが可能となる。
【図面の簡単な説明】
【図１】本発明にかかる内視鏡プロセッサとモニタの正面図である。
【図２】内視鏡プロセッサの内部回路構成の主要部を示す回路図である。
【図３】ランプマークの表示動作を示すフローチャートである。
【図４】ランプマークの表示動作を示すタイミングチャートである。
【図５】ランプの点灯を禁止する動作のタイミングチャートである。
【図６】表示の他の例を示す図である。
【図７】タイマ部の他の実施形態の回路図である。
【図８】積算時間の記憶動作を示すフローチャートである。
【図９】本発明が適用される内視鏡装置の全体構成を示す概略図である。
【図１０】水銀式積算メータの一例を示す正面図と回路図である。
【図１１】ランプの使用時間と発光量の関係を示す図である。
【符号の説明】
１００  内視鏡プロセッサ
１０２  電源スイッチ
１０８  ランプスイッチ
１２１  ランプ
１２４  システムコントローラ
１４０  積算メータ部
１４１  電池
１４２  ランプ点灯時間積算メータ回路
１４３  機器使用時間積算メータ回路
１４４  カウントデータ送信回路
１４５，１４６  不揮発性記憶回路
１４７  電源電圧検出回路
２００  内視鏡
３００  モニタ
３０１  ランプ点灯積算時間
３０２  機器用積算時間
３０３  ランプマーク
【図１】
0004373511.tif 000002
【図２】
0004373511.tif 000003
【図３】
0004373511.tif 000004
【図４】
0004373511.tif 000005
【図５】
0004373511.tif 000006
【図６】
0004373511.tif 000007
【図７】
0004373511.tif 000008
【図８】
0004373511.tif 000009
【図９】
0004373511.tif 000010
【図１０】
0004373511.tif 000011
【図１１】
0004373511.tif 000012